(57)【特許請求の範囲】
【請求項１】
生産ライン上の製品に対する複数の試験工程の管理システムであって、
前記製品を試験する試験装置を前記複数の試験工程に対応して設置可能とするとともに、前記試験装置に対して試験工程の管理を行う管理サーバを設け、
前記管理サーバは試験工程別に複数のＬＡＮ接続コネクタを有し、
前記管理サーバと前記試験装置とは前記試験工程別のＬＡＮ接続コネクタを介して試験工程別ネットワークで接続され、
前記管理サーバは、前記試験装置のそれぞれに前記試験工程別のＩＰアドレスを割り振り、
前記試験装置は、割り振られた試験工程別のＩＰアドレスから自らの試験工程を判断し、当該試験工程に必要なデータを前記管理サーバからダウンロードする
ことを特徴とする試験工程管理ネットワークシステム。
【請求項２】
請求項１において、
前記試験装置毎にＬＡＮケーブルを設置し、
前記ＬＡＮケーブルを、前記試験工程別ネットワークの内の所望のネットワークに接続することによって、所望の試験工程のための情報を当該試験装置と前記管理サーバとの間で交換する
ことを特徴とする試験工程管理ネットワークシステム。
【請求項３】
請求項１または２において、
前記管理サーバは、前記試験工程に対応する試験内容を表す試験工程管理用テーブルを有して前記試験装置の試験工程を管理することを特徴とする試験工程管理ネットワークシステム。
【請求項４】
請求項１、２または３において、
複数の試験装置のそれぞれは、一つの試験工程別ネットワークにＬＡＮケーブルで接続され、
前記管理サーバは、前記複数の試験装置のそれぞれに固定のＩＰアドレスを割り振って各試験装置を管理し、
前記管理サーバは、前記複数の試験装置が前記ＬＡＮケーブルの接続で前記一つの試験工程別ネットワークに接続されたことを検知して、当該試験工程のための情報を前記複数の試験装置に提供する
ことを特徴とする試験工程管理ネットワークシステム。
【請求項５】
請求項２において、
前記管理サーバは、格納されている、試験のためのプログラムとＩＰアドレス情報を含む各種データを、前記試験工程別ネットワークと前記ＬＡＮケーブルを通して前記試験装置に提供する
ことを特徴とする試験工程管理ネットワークシステム。
【発明の詳細な説明】
【技術分野】
【０００１】
本発明は、ＰＣサーバを一例とする情報処理装置等を製造する生産ラインにおける試験工程管理のためのネットワーク構築技術に関する。
【背景技術】
【０００２】
生産ラインにおける作業工程の追加や変更を伴う工程管理システムの従来技術として、例えば、特許文献１に記載されたように、工程順序を生産現場の専用端末から管理データベースに入力し、このデータベースにより全体の工程を管理することが提案されている。この特許文献１によると、作業工程の順番組み替えなどを生産現場に設置された端末装置から容易に入力できるようにしているので、現場の作業状況を的確に工程上に反映させるようになっている。
【特許文献１】特開２０００−２６３３８９公報
【発明の開示】
【発明が解決しようとする課題】
【０００３】
しかしながら、上記の特許文献１では、現場に設置された端末が、管理データベースに格納されている工程管理情報の中から必要な情報を読み出し、表示して作業工程にしたがって製造を進めることを記述しているに止まり、管理データベースが工程管理のネットワークを構築するという考え方は開示されていない。
【０００４】
本発明の目的は、生産ライン上の製品に対する複数の試験工程の管理について、管理サーバと複数の試験装置とをＩＰアドレスの割り振りによって情報交換し試験工程管理を行うネットワークシステムを提供することにある。
【課題を解決するための手段】
【０００５】
前記課題を解決するために、本発明は主として次のような構成を採用する。  
生産ライン上の製品に対する複数の試験工程の管理システムであって、前記製品を試験する試験装置を前記複数の試験工程に対応して設置可能とするとともに、前記試験装置に対して試験工程の管理を行う管理サーバを設け、前記管理サーバは試験工程別に複数のＬＡＮ接続コネクタを有し、前記管理サーバと前記試験装置とは前記試験工程別のＬＡＮ接続コネクタを介して試験工程別ネットワークで接続され、前記管理サーバは、前記試験装置のそれぞれに前記試験工程別のＩＰアドレスを割り振り、前記試験装置は、割り振られた試験工程別のＩＰアドレスから自らの試験工程を判断し、当該試験工程に必要なデータを前記管理サーバからダウンロードする構成とする。
【０００６】
また、前記試験工程管理ネットワークシステムにおいて、前記試験装置毎にＬＡＮケーブルを設置し、前記ＬＡＮケーブルを、前記試験工程別ネットワークの内の所望のネットワークに接続することによって、所望の試験工程のための情報を当該試験装置と前記管理サーバとの間で交換する構成とする。
【０００７】
また、前記試験工程管理ネットワークシステムにおいて、前記管理サーバは、前記試験工程に対応する試験内容を表す試験工程管理用テーブルを有して前記試験装置の試験工程を管理する構成とする。
【発明の効果】
【０００８】
本発明によれば、ＬＡＮケーブルの接続のみで所望の試験工程を行うことができるため作業性を向上させることができる。さらに、オペレータによるキー操作ミスによる誤操作を無くすることができ、品質の向上を図ることができる。
【０００９】
また、次の試験工程に進むためには、ＬＡＮケーブルの接続先を変更するのみで良いため、製品の試験のための作業を簡素化することができる。
【発明を実施するための最良の形態】
【００１０】
本発明の実施形態に係る試験工程の管理ネットワークシステムについて、図１〜図５を参照しながら、以下詳細に説明する。図１は本発明の実施形態に係る試験工程の管理ネットワークシステムにおける全体構成を示す図である。図２は本実施形態に係るＡ試験工程における複数の試験装置のネットワーク接続を示す図である。図３は本実施形態における管理サーバに格納された試験工程別のＩＰアドレスのテーブルを示す図である。図４は本実施形態における管理サーバに格納された試験工程別の試験内容のテーブルを示す図である。図５は本実施形態における複数の試験装置のＩＰアドレスを一意に決定する処理フローを示す図である。
【００１１】
図１と図２において、１０１は管理サーバ、２０１〜２０５は試験工程別ネットワーク、３０１〜３０５は各試験工程にある試験機構、４０１〜４０５は管理サーバのＬＡＮコネクタ、３０１１〜３０１４はＡ試験工程における試験装置群、２０１１は試験装置ａに接続されるＬＡＮケーブル、４０１１は試験工程別ネットワーク上のＬＡＮ接続口、５０１１は試験装置ａのＬＡＮコネクタ、をそれぞれ示す。
【００１２】
図１は、本実施形態における管理サーバ１０１と試験機構のネットワーク構成図である。管理サーバ１０１は、複数のＬＡＮ接続コネクタ４０１〜４０５を有し、各試験工程別に試験工程別のネットワーク２０１〜２０５が接続され、試験工程別のネットワークを構築している。図２は、図１に示すＡ試験工程を例にしたネットワーク図であり、このＡ試験工程においては、複数の試験装置ａ〜ｄ（３０１１〜３０１４）に対して同時に試験を行うことができるように  ネットワークに接続用ＬＡＮの接続口４０１１〜４０１４を有している。
【００１３】
ここで、管理サーバ１０１のコネクタ４０１〜４０５に接続された試験工程別ネットワーク２０１〜２０５は、複数の試験機構３０１〜３０５に常時接続されているものとする（常時接続が本実施形態の必須要件ではなく、所望の試験工程を実施するときに当該試験工程に対応するネットワークに接続しても良い）。本実施形態に関するＰＣサーバ、ＰＣクライアント等の情報処理装置における実際の試験内容は、試験工程別に例えば、後述する図４に示すとおりである。
【００１４】
そして、図２に示す試験装置ａ〜ｄ（３０１１〜３０１４）に、試験の対象となる情報処理装置（ＰＣサーバ、ＰＣクライアントなど）を装着して（図示例では、４つの情報処理装置を各試験装置３０１１〜３０１４に装着可能である）、同時に４つの情報処理装置に対してＡ試験工程を実行することができるようになっている。この際、ＬＡＮケーブル２０１１の接続口４０１１〜４０４１を、図１に示す試験工程別ネットワーク２０１に接続することで、Ａ試験工程を実行可能である。図２に示すＬＡＮ接続口４０１１〜４０１４を他の試験工程別ネットワーク２０２に接続することで、Ｂ試験工程が実行可能となるものである。ここで、試験装置ａ〜ｄはＣＰＵやメモリを内蔵しており、管理サーバからダウンロードされた適宜の試験プログラムを用いて試験を行う。
【００１５】
図３は、試験工程別のＩＰアドレス範囲を規定しているテーブルであり、管理サーバ内に格納されている。図２に示す試験装置ａ〜ｄのそれぞれに対して、試験工程別のＩＰアドレスの範囲内において、ＩＰアドレスが異なるように割り振られる。また、図４は、試験工程の管理用テーブルであり図３と同様に管理サーバ内に格納されており、工程管理用テーブルには、各工程名と当該工程で実施すべきテスト内容が記述されている。
【００１６】
次に、本発明の実施形態に係る試験工程管理ネットワークシステムの動作について、図面を参照しながら以下詳細に説明する。ＰＣサーバなどの情報処理装置を試験装置ａに装着して試験工程Ａを行う場合を例にとって説明する。
【００１７】
オペレータは、試験装置ａのＬＡＮコネクタ５０１１及びネットワーク上のＬＡＮ接続口４０１１にＬＡＮケーブル２０１１を接続する。試験装置ａの電源投入を行うと、試験装置ａは、ネットワーク上にＩＰアドレス発行要求を出す。この要求を受け取った管理サーバ１０１は、要求信号が入力されたＬＡＮ接続コネクタ４０１により、要求元の試験工程を判別する（管理サーバ１０１のＬＡＮ接続コネクタ４０１〜４０５はＡ試験工程〜Ｅ試験工程に対応して設けられており、ＬＡＮ接続コネクタ４０１〜４０５からの信号に基づいて試験工程の判別ができる）。その後、要求元に対して発行許可の返答を行う。要求元は、再度管理サーバに対して自らのＬＡＮ  ＭＡＣアドレスを管理サーバ１０１に報告すると共にＩＰアドレスの発行要求を行う。
【００１８】
管理サーバ１０１は、図３に示す工程別に割り当てられたＩＰアドレステーブルからＤＨＣＰ（Ｄｙｎａｍｉｃ  Ｈｏｓｔ  Ｃｏｎｆｉｇｕｒａｔｉｏｎ  Ｐｒｏｔｏｃｏｌ）処理を行い、固定アドレスを要求元に返送する。ＤＨＣＰ処理により発行した固定アドレスが、別の試験装置と重ならないように、要求元のＭＡＣアドレスと発行した固定アドレスとを対応させてサーバ内に格納しておく。その後、別の試験装置で取得した固定ＩＰアドレスを管理サーバ内のデータと比較し重なった場合には再ＤＨＣＰ処理を行う。以上説明したＩＰアドレス取得の処理フローを図５に示す。以上により、試験装置ａのＩＰアドレスが一意に決まる。他の試験装置ｂ，ｃ，ｄについても、試験装置ａと同様な手順で各自固定のＩＰアドレスを取得することができる。
【００１９】
試験装置ａ〜ｄは、それぞれが前述した固定ＩＰアドレスを有しているため、自らの工程を判断できる。試験装置は、管理サーバ１０１に対して、接続した試験機構３０１〜３０５に対応する試験工程で実施すべき試験プログラム及び必要なデータのダウンロード要求を行う。試験終了後、試験装置ａ〜ｄに割り当てられた固定ＩＰアドレスは、管理サーバ１０１に返却することで、アドレス枯渇を防止することができる。試験完了後、次の試験工程に進むためには、次の試験工程の工程別ネットワーク２０１〜２０５にＬＡＮケーブル２０１１（又はＬＡＮ接続口４０１１〜４０１４）を接続するのみで、同様の試験工程のオペレーションが可能となる。以上の説明では、図２に示す試験装置を図１に示す試験機構のいずれかに装着して逐次的に試験工程を行うことを述べたが、図２に示す試験装置を、図１に示す複数の試験機構に装着して同時的に試験工程を実行しても良い。
【００２０】
本発明の実施形態に係る試験工程管理ネットワークシステムについて、取り纏めると、次のような構成と動作を行うものである。すなわち、通信回線を用いて試験工程管理を行う情報処理装置の製造工場内において、管理サーバと各試験工程を実施する試験装置との間においてネットワークを構築する。あらかじめ試験工程毎にＩＰアドレス範囲を割り振り、ＩＰアドレスの情報を管理サーバに登録し、試験装置のＬＡＮケーブルを試験工程別ネットワークに接続した際に、当該試験装置に対して固有のＩＰアドレスを自動設定することで、試験装置を一意に特定する。試験装置に割り振られたＩＰアドレスから、自らの工程を判断し、必要なデータをサーバからダウンロードする。また、試験完了後には、管理サーバにＩＰアドレスを返却し、次の試験工程に進む。次の試験工程でも、前工程と同様にＬＡＮケーブルを当該工程ネットワークに接続することにより試験を開始する。
【００２１】
従来技術では、試験装置ａ〜ｄに、試験工程に対応したＦＤ媒体やＣＤ媒体をその都度装填して試験を行うものであったが、本実施形態では、データ（ＩＰアドレス、試験内容）を管理サーバ内で一括管理できるため、従来のＦＤやＣＤの媒体が不要となり、あるいは媒体枚数が削減でき、試験プログラム等のバージョン管理、媒体枚数管理等の管理工数が削減できる。換言すると、従来、試験対象物の試験は、一般的に、テストプログラム等を格納したＣＤ媒体やＦＤ媒体を用いて実施していたが、本実施形態により、これらのＣＤ媒体、ＦＤＤ媒体が不要となり、試験作業効率向上がはかられるだけでなく、媒体枚数及び媒体管理工数を削減できる。また、ＬＡＮケーブルの挿入のみで、作業を開始できることからオペレーションミスを防止でき、製造品質の向上に貢献できる。また、本実施形態は、生産ラインのみならずクライアントサーバシステムを構築しているオフィス内で、サーバ内に格納されているデータをクライアントにダウンロードする方式として利用できる。
【図面の簡単な説明】
【００２２】
【図１】本発明の実施形態に係る試験工程の管理ネットワークシステムにおける全体構成を示す図である。
【図２】本実施形態に係るＡ試験工程における複数の試験装置のネットワーク接続を示す図である。
【図３】本実施形態における管理サーバに格納された試験工程別のＩＰアドレスのテーブルを示す図である。
【図４】本実施形態における管理サーバに格納された試験工程別の試験内容のテーブルを示す図である。
【図５】本実施形態における複数の試験装置のＩＰアドレスを一意に決定する処理フローを示す図である。
【符号の説明】
【００２３】
１０１  管理サーバ
２０１〜２０５  試験工程別ネットワーク
３０１〜３０５  各試験工程にある試験機構
４０１〜４０５  管理サーバのＬＡＮコネクタ
３０１１〜３０１４  Ａ試験工程における試験装置群
２０１１  試験装置ａに接続されるＬＡＮケーブル
４０１１  試験工程別ネットワーク上のＬＡＮ接続口
５０１１  試験装置ａのＬＡＮコネクタ
【図１】
0004759453.tif 000002
【図２】
0004759453.tif 000003
【図３】
0004759453.tif 000004
【図４】
0004759453.tif 000005
【図５】
0004759453.tif 000006